(57)【要約】【課題】本発明は、実践的な練習を行わせる。【解決手段】本発明は、練習者７０によりロープ５が瞬間的に前方向へ引っ張られた際、引っ張られた方向とは反対方向の負荷をロープ５を介して練習者７０に与え、また練習者７０に対して引っ張り返す抵抗力をゴムチューブ９の弾性力により与えることができるので、柔道における引き手を取る一連の動作をより実践的に行わせることができ、かくして実践的な練習を行わせることができる。【選択図】図１
2010035757.tif 000002
【特許請求の範囲】
【請求項１】
ロープと、
上記ロープが練習者によって引っ張られる際、上記ロープに対して引っ張られる方向とは反対方向の負荷を与える負荷部と、
上記負荷部とは別に設けられ、上記ロープが上記練習者によって引っ張られた際、上記練習者に対して引っ張り返す抵抗力を与える抵抗部と
を具えることを特徴とするトレーニングマシン。
【請求項２】
上記ロープは、環状に形成され、
上記トレーニングマシンは、
少なくとも上記練習者が把持できる程度に上記ロープの一部を露出するよう上記ロープの残り部分を回動自在に保持する保持部と
を具えることを特徴とする請求項１に記載のトレーニングマシン。
【請求項３】
上記ロープは、
内側に設けられた中央部と、
上記中央部を覆うように表面に設けられた表面部と
を具えることを特徴とする請求項２に記載のトレーニングマシン。
【請求項４】
上記保持部は、
上記ロープが引っ張られる前後方向に移動する所定の台車部に載置され、
上記抵抗部は、
上記台車部と所定の固定部とを連結する弾性体である
ことを特徴とする請求項２に記載のトレーニングマシン。
【発明の詳細な説明】
【技術分野】
【０００１】
本発明は、トレーニングマシンに関し、例えば柔道の練習に用いられる場合に適用して好適なものである。
【背景技術】
【０００２】
従来、柔道の練習に用いられるトレーニングマシンには、ロープが巻きつけられたドラムの回転軸の一端に一方向クラッチを介して油圧ポンプが設けられており、また他端にゼンマイばねが設けられたものが提案されている（例えば、特許文献１参照）。
【０００３】
このトレーニングマシンでは、柔道における対戦相手の袖を掴むために必要な筋肉、すなわち引き手を取るときに用いられる筋肉を強化するための練習に用いられた場合、練習者によりロープの一端が引っ張られると、当該ロープが巻きつけられたドラムが回転し、そのとき、一方向クラッチを介して油圧ポンプによりドラムに対して一定の負荷が働くと共に、ゼンマイばねが巻かれるようになされている。
【０００４】
従ってトレーニングマシンは、練習者に対して当該ロープを介して一定の負荷を与えることができると共に、練習者がロープを引き終えた際、ゼンマイばねの付勢力によりロープがドラムに巻かれるようになされている。
【特許文献１】特開２０００−１７６０４５公報
【発明の開示】
【発明が解決しようとする課題】
【０００５】
ところで柔道においては、競技者が対戦相手の袖を引っ張ると、その対戦相手は、競技者の手を自身の袖から離そうとして引っ張り返す。
【０００６】
しかしながら上述したトレーニングマシンにおいては、ロープを練習者に引っ張らせる際、当該練習者に対して一定の負荷を与えるため、油圧ポンプの負荷と比してゼンマイばねの付勢力がとても小さく、ゼンマイばねによる付勢力がロープをドラムに巻き付ける程度でしかない。
【０００７】
従ってこのトレーニングマシンでは、ゼンマイばねの付勢力による負荷を練習者に与えることができないため、柔道における対戦相手に引っ張り返されるような抵抗力を与えることができず、かくして練習者に実践的な練習を行わせることができないという問題があった。
【０００８】
本発明は以上の点を考慮してなされたもので、実践的な練習を行わせ得るトレーニングマシンを提案しようとするものである。
【課題を解決するための手段】
【０００９】
かかる課題を解決するため本発明のトレーニングマシンにおいては、ロープと、ロープが練習者によって引っ張られる際、ロープに対して引っ張られる方向とは反対方向の負荷を与える負荷部と、負荷部とは別に設けられ、ロープが練習者によって引っ張られた際、練習者に対して引っ張り返す抵抗力を与える抵抗部とを設けるようにした。
【００１０】
これにより、ロープが練習者によって引っ張られる際、引っ張る方向とは反対方向の負荷を練習者に与え、また引っ張る際の負荷とは異なる大きさの引っ張り返す抵抗力を練習者に与えることができる。
【発明の効果】
【００１１】
本発明によれば、ロープが練習者によって引っ張られる際、引っ張る方向とは反対方向の負荷を練習者に与え、また引っ張る際の負荷とは異なる大きさの引っ張り返す抵抗力を練習者に与えることができ、かくして実践的な練習を行わせ得るトレーニングマシンを実現することができる。
【発明を実施するための最良の形態】
【００１２】
以下に、図面について、本発明の一実施の形態を詳述する。
【００１３】
（１）トレーニングマシンの構成
図１に示すように、本発明の一実施の形態としてのトレーニングマシン１は、本体部２における台車部３の下面４隅にそれぞれキャスタ６が設けられており、本体部２を前後方向に移動させ得るようになされている。
【００１４】
本体部２では、ロープ保持部４が台車部３の上面に立設されており、環状に形成されたロープ５のおおよそ半分がロープ保持部４から露出するように、残り部分を複数のローラ（図示せず）により保持するようになされている。
【００１５】
これによりトレーニングマシン１では、ロープ５におけるロープ保持部４から露出した部分の上側が引っ張られた場合、当該ロープ５の上側が前方向へ引き出され、当該ロープ５の下側が後方向へ押し込まれる。すなわちトレーニングマシン１では、ロープ５の上側が引っ張られた場合、複数のローラを介してロープ５が回動するようになされている。
【００１６】
ここでロープ５は、図２に示すように、略楕円形でなり、例えばポリエステルでなる芯糸５Ａが多数束ねられた中央部５Ｂと、例えばポリエステルでなり、中央部５Ｂの表面を覆う表面布５Ｃとにより構成されており、中央部５Ｂが例えば人の腕ほどの太さである。
【００１７】
トレーニングマシン１（図１）では、台車部３の背面３Ａに設けられた２つの連結部７と、壁面６０に設けられた２つの連結部８とが弾性体である２本のゴムチューブ９を介して一対ずつ連結されている。
【００１８】
従ってトレーニングマシン１では、本体部２が前方向へ移動された場合、ゴムチューブ９が延びることによって、本体部２に対して後方向の付勢力が生じることになる。
【００１９】
因みに本体部２のロープ保持部４は、左パネル４Ａ、右パネル４Ｂ、及び上パネル４Ｃにより被覆されている。
【００２０】
本体部２のロープ保持部４は、図３、図４（Ａ）及び図４（Ｂ）に示すように、左右一対の支柱部１１及び１２を有し、当該支柱部１１及び１２が前後方向に平行でかつ互いに対向した状態で本体部２の台車部３に立設されている。なお、説明の便宜上、図３においては左パネル４Ａ、右パネル４Ｂ、及び上パネル４Ｃを省略し、図４（Ａ）においては左パネル４Ａを省略し、図４（Ｂ）においては右パネル４Ｂを省略している。
【００２１】
この支柱部１１は、台車部３に立設された前柱１１Ａ、中央柱１１Ｂ及び後柱１１Ｃと、中央柱１１Ｂ及び後柱１１Ｃの間に架設された横枠１１Ｄと、前柱１１Ａ及び中央柱１１Ｂの間に架設された横枠１１Ｆとにより構成されている。また支柱部１１では、中央柱１１Ｂにおける人の腰くらいの高さの位置にローラ支持柱１１Ｅが架設されている。
【００２２】
支柱部１２は、支柱部１１と同様に、台車部３に立設された前柱１２Ａ、中央柱１２Ｂ及び後柱１２Ｃと、中央柱１２Ｂ及び後柱１２Ｃの間に架設された横枠１２Ｄと、前柱１２Ａ及び中央柱１２Ｂの間に架設された横枠１２Ｆとにより構成されている。また支柱部１２では、中央柱１２Ｂにおける人の腰くらいの高さの位置にローラ支持柱１２Ｅが架設されている。
【００２３】
支柱部１１の前柱１１Ａ及び支持部１２の前柱１２Ａには、人の腰くらいの高さの位置に貫通孔１３Ａ及び１４Ａがそれぞれ設けられており、当該貫通孔１３Ａ及び１４Ａに支持されたローラ軸２１Ａによって回転自在にローラ２１が軸支されている。
【００２４】
ローラ支持柱１１Ｅ及び１２Ｅには、それぞれ前後２つずつの貫通孔１３Ｂ及び１３Ｃと、貫通孔１４Ｂ及び１４Ｃとが貫通孔１３Ａ及び１４Ａと同一高さにそれぞれ設けられている。このローラ支持柱１１Ｅ及び１２Ｅでは、貫通孔１３Ｂ及び１４Ｂに支持されたローラ軸２２Ａによって回転自在にローラ２２が軸支されており、また貫通孔１３Ｃ及び１４Ｃに支持されたローラ軸２３Ａによって回転自在にローラ２３が軸支されている。
【００２５】
後柱１１Ｄ及び１２Ｄには、貫通孔１３Ａ及び１４Ａより低い位置に貫通孔１３Ｄ及び１４Ｄがそれぞれ設けられており、当該貫通孔１３Ｄ及び１４Ｄに支持されたローラ軸２４Ａによって回転自在にローラ２４が軸支されている。
【００２６】
中央柱１１Ｂ及び１２Ｂには、貫通孔１３Ｄ及び１４Ｄより低い位置に貫通孔１３Ｅ及び１４Ｅがそれぞれ設けられており、当該貫通孔１３Ｅ及び１４Ｅに支持されたローラ軸２５Ａによって回転自在にローラ２５が軸支されている。
【００２７】
そしてロープ保持部４は、ロープ５をローラ２１、２２、２３、２４及び２５に巻き掛けるようにして保持する。従ってロープ５は、ローラ２１、２２、２３、２４及び２５を介して回動し得るようになされている。
【００２８】
ところでロープ保持部４では、支柱部１１の中央柱１１Ｂ及び支柱部１２の中央柱１２Ｂの上方に抵抗負荷部１５が設けられている。
【００２９】
抵抗負荷部１５は、図５に示すように、Ｌ字型に形成された左側板４１及び右側板４２が設けられており、また当該左側板４１の底板４１Ａ及び右側板４２の４２Ａには、それぞれ貫通孔４１Ｂ及び４２Ｂが上下方向に設けられている。これにより抵抗負荷部１５は、中央柱１１Ｂ及び１２Ｂの上端に対して貫通穴４１Ｂ及び４２Ｂを介してねじ等により螺着される。
【００３０】
抵抗負荷部１５では、左側板４１及び右側板４２の上方に上板４３が架設されており、当該上板４３の中央にねじ孔４３Ａが上下方向に設けられている。
【００３１】
上板４３には、ねじ孔４３Ａを貫通する負荷調整軸４４が螺着されている。負荷調整軸４４は、その上方にハンドル４５が設けられており、また下方には矩形状に形成されたばね支持板４６が設けられている。
【００３２】
従って負荷調整軸４４は、ハンドル４５が回転操作されたことに応じて、ばね支持板４６を上下方向へ移動させ得るようになされている。
【００３３】
ばね支持板４６は、その下面に円柱形のばね受軸４６Ａ及び４６Ｂが突設されており、当該ばね受軸４６Ａ及び４６Ｂの径より大きな内径でなるばね４７及び４８が一端がばね受軸４６Ａ及び４６Ｂに外嵌されている。
【００３４】
ばね４７及び４８の他端は、下側が開口したコの字状のローラ保持部４９及び５０の上面に突設された円柱形のばね受軸４９Ａ及び５０Ａに外嵌されている。従ってローラ保持部４９及び５０は、ばね４７及び４８を介して、それぞれ独立して上下方向に伸縮自在にばね支持板４６と連結するようになされている。
【００３５】
ローラ支持部４９では、左側板４９Ｂ及び右側板４９Ｃの対向する位置に貫通孔４９Ｄ及び４９Ｅが設けられており、当該貫通孔４９Ｄ及び４９Ｅに支持されたローラ軸５１Ａによって回転自在にローラ５１が軸支されている。
【００３６】
ローラ支持部５０では、ローラ支持部４９と同様に、左側板５０Ｂ及び右側板５０Ｃに対して対向する位置に貫通孔５０Ｄ及び５０Ｅが設けられており、当該貫通孔５０Ｄ及び５０Ｅに支持されたローラ軸５２Ａによって回転自在にローラ５２が軸支されている。
【００３７】
従って抵抗負荷部１５では、ローラ５１及び５２の下方に配置されたロープ５を、ばね４７及び４８の弾性力によりローラ５１及び５２を介して下方へ押し付けるようになされている。
【００３８】
ここで本体部２のロープ保持部４（図３及び図４）では、ローラ２２及び２３と、抵抗負荷部１５のローラ５１及び５２との隙間にロープ５が通されている。従って本体部２のロープ保持部４では、抵抗負荷部１５のローラ５１及び５２が下方へ押し付けられることによって、ローラ２２及び２３とローラ５１及び５２とがロープ５を締め付けることになる。
【００３９】
これによりロープ保持部４は、ロープ５の上側が前方向に引っ張られる際、ローラ２２及び２３とローラ５１及び５２とにより締め付ける力が後方向への摩擦力としてロープ５に働くことになる。
【００４０】
そしてロープ保持部４では、抵抗負荷部１５のハンドル４５が例えば右方向に回転操作されると、ばね支持板４６が下方向に移動することによってばね４７及び４８が圧縮し、ローラ５１及び５２をより強くロープ５へ押し付けることとなり、ロープ５を締め付ける力がより大きくなる。
【００４１】
これに対してロープ保持部４は、抵抗負荷部１５のハンドル４５が例えば左方向に回転操作されると、ばね支持板４６が上方向に移動することによりばね４７及び４８が伸張し、ローラ５１及び５２をロープ５へ押し付ける力が減少することとなり、ロープ５を締め付ける力が小さくなる。
【００４２】
従ってロープ保持部４は、ロープ５の上側が前方向に引っ張られる際、ハンドル４５の回転操作に応じて、ロープ５に働く摩擦力を可変し得るようになされている。
【００４３】
因みに抵抗負荷部１５は、左右方向に２つのローラ５１及び５２が設けられており、ローラ５１及び５２がそれぞれ異なるばね４８及び４９に接続されているので、ロープ５が回動することによって縒れた場合にも、縒れて太くなった側のばね４８又４９がより圧縮され、縒れて太くなった側のローラ５１又は５２を下方向へ押し付ける力が増加することによって、ロープ５の縒れを直すことができる。
【００４４】
（２）トレーニングマシンの使用例
次に、上述した構成でなるトレーニングマシン１の使用例を図６を用いて説明する。
【００４５】
具体的に、トレーニングマシン１は、図６（Ａ）に示すように、ゴムチューブ９に弾性力が働いていない状態で、練習者７０の左手によりロープ５の上側の一部が把持され、ロープ５の上側がほぼ水平になった後、ロープ５の上側でかつ左手で把持した位置よりも本体部２側を練習者７０の右手により把持される。
【００４６】
この動作は、柔道における相手の左袖を取りに行く動作に近似し、このときロープ５は、人の腕ほどの太さでなる中央部５Ｂ（図２）及びその中央部５Ｂを覆う表面布５Ｃをそれぞれ相手の左腕及び左袖に見立たせて、練習者７０に対して相手の左袖を取りに行く動作の練習を行わせることができる。
【００４７】
次にトレーニングマシン１では、図６（Ｂ）に示すように、ローラ２２及び２３とローラ５１及び５２との締め付けによる摩擦力より大きい力で練習者７０によりロープ５の上側が瞬間的に前方向へ引っ張られる。
【００４８】
このときトレーニングマシン１では、ロープ５の上側が本体部２から前方向へ引き出され、それに応じてロープ５の下側が本体部２へ押し込まれる。またトレーニングマシン１では、ロープ５に対する摩擦力の反作用によって本体部２が前方向へ移動することになる。すなわち練習者７０は、ロープ５を引っ張ることにより、当該ロープ５及び本体部２を自身へ引き付けることになる。
【００４９】
このロープ５の上側を瞬間的に前方向へ引っ張る動作は、柔道における相手の左袖を自身に引き付ける動作に近似し、このときトレーニングマシン１は、ローラ２２及び２３とローラ５１及び５２とで締め付ける摩擦力によって練習者７０に引っ張られる方向とは反対方向の負荷を与えることができる。
【００５０】
従ってトレーニングマシン１は、柔道における対戦相手の袖を掴み、自身へ引き付けるために必要な例えば手首、腕、肩、背筋等の筋肉を練習者７０に鍛えさせることができる。
【００５１】
またトレーニングマシン１では、本体部２が後方向へ移動することによりゴムチューブ９が伸張する。
【００５２】
続いてトレーニングマシン１では、図６（Ｃ）に示すように、練習者７０が右手をロープ５から離すことなく左手をロープ５から離すと、本体部２及びロープ５を引っ張る力が減少し、このとき本体部２は、ゴムチューブ９の付勢力より後方向へ移動する。
【００５３】
ここで柔道においては、競技者が対戦相手の例えば左袖を右手により引っ張ると、その対戦相手は、競技者の右手を自身の左袖から離そうとして引っ張り返す。このとき競技者は、右手を対戦相手の左袖から離すことなく右肩の力を抜くことにより、対戦相手に引っ張り返されたとしても、対戦相手の左袖から右手を離されることなく把持し続けることができる。
【００５４】
すなわちトレーニングマシン１は、本体部２を後方向へ移動することにより、柔道における対戦相手に引っ張り返される動作を近似的に行うことができ、練習者７０にロープ５を把持させたまま肩の力を抜く感覚を体感させることができる。
【００５５】
そしてトレーニングマシン１では、図６（Ｄ）に示すように、練習者７０が、ロープ５を離した左手で、自身の右手がロープ５を把持している位置よりも本体部２側を把持する。
【００５６】
このときトレーニングマシン１では、最初に練習者７０にロープ５を把持された位置（図６（Ａ））に本体部２が戻っており、練習者７０がロープ５を把持している手だけが左右反対となる。
【００５７】
その後、トレーニングマシン１では、練習者７０がロープ５を引っ張り、そして練習者７０が右手を離し、左手より本体部２側の位置でロープ５を把持することにより、最初の状態（図６（Ａ））に戻る。
【００５８】
従ってトレーニングマシン１は、ロープ５が回動することにより、練習者７０に対して上述した動作を繰り返し行わせることができ、かくして連続的にトレーニングを行わせることができる。
【００５９】
（３）動作及び効果
以上の構成において、トレーニングマシン１は、練習者７０によりロープ５が瞬間的に前方向へ引っ張られた際、引っ張られた方向とは反対方向の負荷を当該ロープ５に与える。
【００６０】
このときトレーニングマシン１は、引っ張られる方向とは反対方向の負荷をロープ５を介して練習者７０に与えることができるので、柔道における引き手を取るために用いられる例えば手首、腕、肩、背中等の筋肉を強化させることができる。またトレーニングマシン１では、練習者７０が足を踏ん張った状態でロープ５を引っ張るので、上半身だけでなく下半身の筋肉も強化させることができる。
【００６１】
またトレーニングマシン１は、壁面６０にゴムチューブ９を介して接続された本体部２がロープ５を引っ張られたことに応じて前方向へ移動することによってゴムチューブ９が伸張し、この伸張したゴムチューブ９の弾性力によって引っ張り返す抵抗力を練習者７０に与えるようにした。
【００６２】
このとき、トレーニングマシン１は、練習者７０に対して引っ張り返す抵抗力を与えることができるので、柔道における対戦相手の袖を掴んだ際、その対戦相手が自身の袖から手を離そうとして引っ張り返す動作を近似的に行うことができる。
【００６３】
従ってトレーニングマシン１は、柔道における引き手を取る一連の動作を、あたかも対戦相手が居るかのように行わせることができる。すなわち、このトレーニングマシン１は、引き手を取るために用いられる筋肉を強化する練習をより実践的に行わせることができる。
【００６４】
またトレーニングマシン１では、練習者７０にロープ５が引っ張られている間、ローラ２２及び２３とローラ５１及び５２との摩擦力によりほぼ一定の負荷を練習者７０に与え続けることができ、かつゴムチューブ９の弾性力により一時的に大きな引っ張り返す抵抗力を練習者７０に与えることができるので、引き手を取るために用いられる筋肉を強化させると共に、対戦相手が自身の袖から手を離そうとして瞬間的に強い力で引っ張り返す動作をより近似的に行うことができる。
【００６５】
トレーニングマシン１では、ロープ５が環状に形成されていることにより、練習者７０に引っ張られたロープ５がローラ２１、２２、２３、２４及び２５の外周を回動するので、連続的にトレーニングを練習者７０に行わせることができる。
【００６６】
またトレーニングマシン１では、ロープ５が人腕ほどの太さでなる中央部５Ｂと、中央部５Ｂの表面を覆う表面布５Ｃとにより構成されており、その断面が略楕円形であることにより、柔道における対戦相手の腕と袖との関係を近似することができ、より実践的な練習を行わせることができる。
【００６７】
以上の構成によれば、練習者７０によってロープ５が引っ張られた際、引っ張られた方向とは反対方向の負荷を練習者７０に与えることができ、かつ引っ張り返す抵抗力を与えることができるので、実践的な練習を行わせることができる。
【００６８】
（４）他の実施の形態
なお上述した実施の形態においては、ローラ２１が人の腰くらいの高さの位置にローラ軸２１Ａを介して軸支されるようにした場合について述べたが、本発明はこれに限らず、例えばローラ軸２１Ａを支持するための貫通孔を前柱１１Ａ及び１１Ｂの上下方向に対向する位置に複数設け、その複数の貫通孔のうち、練習者が任意の貫通孔にローラ軸２１Ａを装着することにより、ローラ２１の高さを調整できるようにしてもよい。
【００６９】
この場合トレーニングマシン１では、身長の異なる複数の練習者に対して、各々の身長にあわせた最適な位置でロープ５を引っ張らせることができる。またトレーニングマシン１は、身長の異なる対戦相手を想定した練習を行わせることができる。
【００７０】
また上述した実施の形態においては、練習者７０によってロープ５が引っ張られた際、本体部２と壁面６０との間に設けられたゴムチューブ９によって練習者７０に対して引っ張り返す抵抗力を与えるようにした場合について述べたが、本発明はこれに限らず、例えば、本体部２と壁面６０との間にばねを設け、当該ばねの弾性力によって練習者７０に対して引っ張り返す抵抗力を与えるようにしてもよい。
【００７１】
さらに上述した実施の形態においては、練習者７０によってロープ５が引っ張られた際、壁面６０にゴムチューブ９を介して接続された本体部２がロープ５を引っ張られたことに応じて前方向へ移動することによってゴムチューブ９が伸張し、その弾性力によって練習者７０に対して引っ張り返す抵抗力を与えるようにした場合について述べた。しかしながら本発明はこれに限らず、種々の方法によりに練習者７０に対して引っ張り返す抵抗力を与えるようにしてもよい。
【００７２】
具体的には、図４と対応する部分に同一符号を付した図７に示すように、トレーニングマシン１００は、トレーニングマシン１におけるキャスタ６及びゴムチューブ９に代えて、荷重負荷部１０１が設けられている。
【００７３】
荷重負荷部１０１は、台車部３にガイドバー１１１及び１１２が立設されており、複数のおもり１１３に設けられた貫通孔１１３Ａ及び１１３Ｂに当該ガイドバー１１１及び１１２が挿通されている。
【００７４】
また荷重負荷部１０１では、複数のおもり１１３が連結棒１１４を介してプーリ１１４と連結されており、ローラ１８及び１９の間に掛けられたロープ５に当該プーリ１１５を介しておもり１１３が吊るされている。
【００７５】
従ってトレーニングマシン１００では、練習者７０によりロープ５が瞬間的に前方向へ引っ張られた際、その引っ張られた力によりローラ１８及び１９の間のロープ５が張り、それに伴ってプーリ１１４及びおもり１１３が上方向へ移動する。
【００７６】
これによりトレーニングマシン１００では、おもり１１３にかかる重力によって練習者７０に対して引っ張り返す抵抗力を与えることができる。
【００７７】
また練習者７０に対して引っ張り返す力を与える別の方法としては、図７と対応する部分に同一符号を付した図８に示すように、トレーニングマシン２００は、トレーニングマシン１００におけるローラ２１を設けることなく、またローラ２２及び２３に代えてローラ２０１が設けられ、さらにローラ２４及び２５に代えてローラ２０２が設けられている。
【００７８】
従ってトレーニングマシン１８０では、練習者７０によりロープ５が瞬間的に前方向へ引っ張られた際、その引っ張られた力によりローラ２０１及び練習者７０の間のロープ５が張り、それに伴ってプーリ１１４及びおもり１１３が上方向へ移動する。
【００７９】
これによりトレーニングマシン１００では、おもり１１３にかかる重力によって練習者７０に対して引っ張り返す抵抗力を与えることができる。
【００８０】
さらに上述した実施の形態においては、ロープとしてロープ５、負荷部として抵抗負荷部１５、抵抗部としてゴムチューブ９によって本発明のトレーニングマシン１としてのトレーニングマシンを構成するようにした場合について述べたが、本発明はこれに限らず、この他種々の構成でなるロープ、負荷部、抵抗部によってトレーニングマシンを構成するようにしても良い。
【産業上の利用可能性】
【００８１】
本発明のトレーニングマシンは、例えば柔道の練習以外にも、レスリング、相撲等の格闘技の練習に適用することができる。
【図面の簡単な説明】
【００８２】
【図１】トレーニングマシンの構成（１）を示す略線図である。
【図２】ロープの構成を示す略線図である。
【図３】トレーニングマシンの構成（２）を示す略線図である。
【図４】トレーニングマシンの断面図を示す略線図である。
【図５】抵抗負荷部の構成を示す略線図である。
【図６】トレーニングマシンの使用例を示す略線図である。
【図７】他の実施の形態によるトレーニングマシン（１）を示す略線図である。
【図８】他の実施の形態によるトレーニングマシン（２）を示す略線図である。
【符号の説明】
【００８３】
１……トレーニングマシン、２……本体部、３……台車部、４……ロープ保持部、５……ロープ、６……キャスタ、９……ゴムチューブ、１１、１２……支柱部、１５……抵抗負荷部、２１、２２、２３、２４、２５、５１、５２……ローラ、６０……壁面、７０……練習者。
【図１】
2010035757.tif 000003
【図２】
2010035757.tif 000004
【図３】
2010035757.tif 000005
【図４】
2010035757.tif 000006
【図５】
2010035757.tif 000007
【図６】
2010035757.tif 000008
【図７】
2010035757.tif 000009
【図８】
2010035757.tif 000010